(57)【要約】      （修正有）【課題】携帯者が安全かどうかを判断した結果に基づいて携帯者の現在の状態を適切に通知することが可能な情報処理装置を提供する。【解決手段】周囲の環境をセンシングするセンシング部を携帯するユーザの安全状態の判定結果を取得する判定結果取得部と、判定結果取得部が取得した判定結果に基づいて、センシングに基づく情報を記録するための処理頻度を決定する頻度決定部と、を備える。【選択図】図１
2016111393.tif 000002
【特許請求の範囲】
【請求項１】
周囲の環境をセンシングするセンシング部を携帯するユーザの安全状態の判定結果を取得する判定結果取得部と、
前記判定結果取得部が取得した前記判定結果に基づいて、前記センシングに基づく情報を記録するための処理頻度を決定する頻度決定部と、
を備える、情報処理装置。
【請求項２】
前記センシング部は、画像を撮像する撮像部を含み、
前記頻度決定部は、前記処理頻度として前記撮像部が画像を撮像する撮像頻度を決定する、請求項１に記載の情報処理装置。
【請求項３】
前記頻度決定部は、前記センシング部の位置に基づいて前記撮像頻度を決定する、請求項２に記載の情報処理装置。
【請求項４】
前記頻度決定部は、前記センシング部を携帯するユーザのスケジュールに基づいて前記撮像頻度を決定する、請求項２に記載の情報処理装置。
【請求項５】
前記頻度決定部は、前記センシング部が取得したセンシングデータに基づいて前記撮像頻度を決定する、請求項２に記載の情報処理装置。
【請求項６】
前記頻度決定部は、前記撮像部に撮像された画像の内容に基づいて前記撮像頻度を決定する、請求項５に記載の情報処理装置。
【請求項７】
前記頻度決定部は、前記撮像部に撮像された画像に含まれる人物に基づいて前記撮像頻度を決定する、請求項６に記載の情報処理装置。
【請求項８】
前記頻度決定部は、前記撮像部に撮像された画像に含まれる人物が予め登録されていない人間であれば前記撮像頻度を短縮する、請求項７に記載の情報処理装置。
【請求項９】
前記頻度決定部は、前記撮像部に撮像された画像に含まれる風景の内容に基づいて前記撮像頻度を決定する、請求項６に記載の情報処理装置。
【請求項１０】
前記頻度決定部は、バッテリ残量に基づいて前記撮像頻度を決定する、請求項２に記載の情報処理装置。
【請求項１１】
前記センシング部は、画像を撮像する撮像部を含み、
前記頻度決定部は、前記処理頻度として前記撮像部の撮像に基づく画像情報を他の装置と通信する通信頻度を決定する、請求項１に記載の情報処理装置。
【請求項１２】
前記頻度決定部は、前記センシング部が取得したセンシングデータに基づいて前記通信頻度を決定する、請求項１１に記載の情報処理装置。
【請求項１３】
前記頻度決定部は、前記撮像部で撮像された画像の内容に基づいて前記通信頻度を決定する、請求項１２に記載の情報処理装置。
【請求項１４】
前記頻度決定部は、前記判定結果取得部が取得した判定結果がより安全な状態を示すほど前記処理頻度が低くなるよう決定する、請求項１に記載の情報処理装置。
【請求項１５】
前記センシング部がセンシングする対象は、位置情報である、請求項１に記載の情報処理装置。
【請求項１６】
前記判定結果取得部は、前記センシング部がセンシングした位置情報に基づいて判定された安全状態を取得する、請求項１５に記載の情報処理装置。
【請求項１７】
前記頻度決定部は、前記ユーザの周囲に存在する他のセンシング部がセンシングした情報に応じて前記処理頻度を決定する、請求項１６に記載の情報処理装置。
【請求項１８】
前記センシング部がセンシングする対象は、前記ユーザの生体情報である、請求項１に記載の情報処理装置。
【請求項１９】
周囲の環境をセンシングするセンシング部を携帯するユーザの安全状態の判定結果を取得することと、
取得された前記判定結果に基づいて、前記センシングに基づく情報を記録するための処理頻度を決定することと、
を含む、情報処理方法。
【請求項２０】
コンピュータに、
周囲の環境をセンシングするセンシング部を携帯するユーザの安全状態の判定結果を取得することと、
取得された前記判定結果に基づいて、前記センシングに基づく情報を記録するための処理頻度を決定することと、
を実行させる、コンピュータプログラム。
【発明の詳細な説明】
【技術分野】
【０００１】
本開示は、情報処理装置、情報処理方法及びコンピュータプログラムに関する。
【背景技術】
【０００２】
位置情報を用いたサービスが普及している。例えば、親が子供に測位機能を有する機器を持たせることにより、子供が現在どこにいるかを見守るためのサービスが提供されている（例えば特許文献１など参照）。
【先行技術文献】
【特許文献】
【０００３】
【特許文献１】特開２００９−２４６８０６号公報
【発明の概要】
【発明が解決しようとする課題】
【０００４】
しかし、既存のサービスでは、子供に持たせた機器の位置情報を取得するだけであり、子供が現在どこにいるかを保護者が把握することは可能であるが、子供が現在どのような状態にあるのかを把握することは出来なかった。
【０００５】
ライフログを取るためのカメラを備えたウェアラブルデバイスを子供に携帯させて、ウェアラブルデバイスが撮像した画像を保護者が持つ端末に送信させる方法も考えられるが、定期的に撮像させて画像を送信させると、保護者が端末で画像を確認する際にどの画像が重要なのか判断出来ず、またウェアラブルデバイスのバッテリの消費が増えていくことにもなる。
【０００６】
そこで、本開示では、携帯者が安全かどうかを判断した結果に基づいて携帯者の現在の状態を適切に通知することが可能な、新規かつ改良された情報処理装置、情報処理方法及びコンピュータプログラムを提案する。
【課題を解決するための手段】
【０００７】
本開示によれば、周囲の環境をセンシングするセンシング部を携帯するユーザの安全状態の判定結果を取得する判定結果取得部と、前記判定結果取得部が取得した前記判定結果に基づいて、前記センシングに基づく情報を記録するための処理頻度を決定する頻度決定部と、を備える、情報処理装置が提供される。
【０００８】
また本開示によれば、周囲の環境をセンシングするセンシング部を携帯するユーザの安全状態の判定結果を取得することと、取得された前記判定結果に基づいて、前記センシングに基づく情報を記録するための処理頻度を決定することと、を含む、情報処理方法が提供される。
【０００９】
また本開示によれば、コンピュータに、周囲の環境をセンシングするセンシング部を携帯するユーザの安全状態の判定結果を取得することと、取得された前記判定結果に基づいて、前記センシングに基づく情報を記録するための処理頻度を決定することと、を実行させる、コンピュータプログラムが提供される。
【発明の効果】
【００１０】
以上説明したように本開示によれば、携帯者が安全かどうかを判断した結果に基づいて携帯者の現在の状態を適切に通知することが可能な、新規かつ改良された情報処理装置、情報処理方法及びコンピュータプログラムを提供することが出来る。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態に係る情報処理システム１の構成例を示す説明図である。
【図２】本開示の一実施形態に係る情報処理システム１を構成する各装置の、詳細な機能構成例を示す説明図である。
【図３】本開示の一実施形態に係るウェアラブルデバイス１００に含まれる、制御部１４０の機能構成例を示す説明図である。
【図４】本開示の一実施形態に係るウェアラブルデバイス１００の動作例を示す流れ図である。
【図５】携帯端末２００の表示部２１０に表示されるユーザインタフェースの例を示す説明図である。
【図６】携帯端末２００の表示部２１０に表示されるユーザインタフェースの別の例を示す説明図である。
【図７】携帯端末２００の表示部２１０に表示されるユーザインタフェースの別の例を示す説明図である。
【図８】ハードウェア構成例を示す説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．本開示の一実施形態
１．１．背景
１．２．構成例
１．３．動作例
２．ハードウェア構成例
３．まとめ
【００１５】
＜１．本開示の一実施形態＞
［１．１．背景］
本開示の実施の形態について詳細に説明する前に、本開示の背景について説明する。
【００１６】
上述したように、位置情報を用いたサービスが普及している。例えば親が子供に測位機能を有する機器を持たせることにより、子供が現在どこにいるかを見守るためのサービスが提供されている。
【００１７】
しかし、既存のサービスでは、子供に持たせた機器の位置情報を取得するだけであり、子供が現在どこにいるかを保護者が把握することは可能であるが、どのような状態にあるのかを把握することは出来なかった。
【００１８】
近年、ライフログを取るためのカメラを備えたウェアラブルデバイスが製品化されつつある。そのウェアラブルデバイスを子供に携帯させて、ウェアラブルデバイスが撮像した画像を保護者が持つ端末に送信させることで、子供の状態を把握する方法が考えられる。
【００１９】
しかし、ウェアラブルデバイスに定期的に撮像させて画像を送信させると、保護者が端末で画像を確認する際にどの画像が重要なのか判断出来なくなってしまう。また、ウェアラブルデバイスに定期的に撮像させて画像を送信させると、ウェアラブルデバイスのバッテリの消費が増えていくことにもなり、バッテリが切れて肝心な場面の撮像が出来なくなることも考えられる。
【００２０】
そこで本件開示者は、上述した内容に鑑みて、携帯者の現在の状態を適切に他の装置へ通知することが可能な技術について、鋭意検討を行った。その結果、本件開示者は、携帯者が安全かどうかを判断した結果に基づいて携帯者の現在の状態を適切に他の装置へ通知することが可能な技術を考案するに至った。
【００２１】
以上、本開示の実施の形態の背景について説明した。続いて、本開示の実施の形態について説明する。
【００２２】
［１．２．構成例］
まず、本開示の一実施形態に係る情報処理システムの構成例について説明する。図１は、本開示の一実施形態に係る情報処理システム１の構成例を示す説明図である。
【００２３】
図１に示したのは、ユーザ２０に携帯された、撮像装置を備えるウェアラブルデバイス１００と、ウェアラブルデバイス１００から情報を受信する携帯端末２００と、ウェアラブルデバイス１００と携帯端末２００との間の情報の授受を仲介するサーバ装置３００と、を含んだ情報処理システム１の全体構成例である。ウェアラブルデバイス１００は、ユーザ２０の周囲の状況を撮像するために、例えばユーザ２０の頭部や胸部等に装着され得る。またウェアラブルデバイス１００は、ユーザ２０が所持している物体、例えば帽子やランドセル、カバン等に装着されるものであっても良い。すなわち本実施形態において「携帯」とは、ユーザ２０の身体に直接身に付けられる場合と、ユーザ２０の身体に間接的に身に付けられる場合との双方を含みうるものとする。
【００２４】
情報処理システム１の概要を説明する。ユーザ２０（特に子供）に携帯された、撮像装置を備えるウェアラブルデバイス１００は、所定の条件を満たした場合に撮像装置に画像を撮像させる。ウェアラブルデバイス１００は、撮像した画像に基づいた情報を、インターネットその他のネットワーク１０を介してサーバ装置３００に送信する。サーバ装置３００は、ウェアラブルデバイス１００から送信された情報を携帯端末２００へ送信する。
【００２５】
本開示の一実施形態に係る情報処理システム１は、図１に示したような構成を有することで、ウェアラブルデバイス１００が携帯されたユーザ２０の位置のみならず、周囲の状況を含んだ情報を、携帯端末２００へ送信することが出来る。従って、携帯端末２００のユーザ（例えばウェアラブルデバイス１００を携帯している子供の保護者）は、ウェアラブルデバイス１００から送信される情報を携帯端末２００で見ることで、ユーザ２０がどこにいて、どのような状態にあるのかを把握することが出来る。
【００２６】
本実施形態では、ウェアラブルデバイス１００は、上記所定の条件として、ユーザ２０が安全な状態にあるかどうかを示す指標が所定の閾値を超えているかどうかを判定し、その判定結果に基づいて、情報の記録のための処理頻度を決定する。本実施形態では、ウェアラブルデバイス１００は、情報の記録のための処理頻度として、撮像装置に画像を撮像させて、撮像結果を記録する撮像頻度を決定する。また本実施形態では、ウェアラブルデバイス１００は、情報の記録のための処理頻度として、撮像装置の撮像処理の結果として得られた画像を含んだ情報を、サーバ装置３００を介して携帯端末２００に送信し、携帯端末２００に記録させる通知頻度を決定する。
【００２７】
詳細は詳述するが、ユーザ２０が安全な状態にあるかどうかを示す指標は、例えばユーザ２０が安全な場所（例えば学校）にいるかどうか、同じ場所に居続けているかどうか、等で決定される。ウェアラブルデバイス１００は、ウェアラブルデバイス１００の現在地や現在時刻に基づいて得られる情報によって、ユーザ２０が安全な状態にあるかどうかを示す指標を決定する。
【００２８】
以下においては、ユーザ２０が安全な状態にあるかどうかを示す指標のことを「安全度」とも称する。
【００２９】
本実施形態では、情報の記録のための処理頻度の決定は、処理をしないことと処理をすることとの間の切り替えと、処理をしている状態で、その処理の間隔や回数の決定と、の両方を含むものとする。ウェアラブルデバイス１００が、情報の記録のための処理頻度として、撮像装置に画像を撮像させて、撮像結果を記録する撮像頻度を決定する場合、その撮像装置での撮像処理機能のオン・オフの切り替えと、撮像処理機能がオンとなっている状態で、撮像処理の間隔や回数の決定と、の両方を含むものとする。ウェアラブルデバイス１００が、情報の記録のための処理頻度として、上記の通知頻度を決定する場合、その通知機能のオン・オフの切り替えと、通知機能がオンとなっている状態で、撮像処理の間隔や回数の決定と、の両方を含むものとする。
【００３０】
「撮像処理」と言う場合には、撮像装置に含まれるイメージャでの光電変換処理、または、光電変換されたものをメモリまたはローカルの記録媒体への記録処理が含まれるものとする。
【００３１】
上記の説明では、ウェアラブルデバイス１００は撮像装置を含むものとして説明したが、本開示は係る例に限定されるものではなく、ウェアラブルデバイス１００は、撮像装置とは別の装置として、すなわち、撮像装置と、上述の処理頻度を決定する機能を有する装置とが、別々の装置として構成されていても良い。
【００３２】
サーバ装置３００は、ウェアラブルデバイス１００と携帯端末２００との間の情報の授受を仲介する他に、例えば、ウェアラブルデバイス１００が撮像装置に撮像させた画像の解析処理等を行なうよう構成されていても良い。
【００３３】
以上、図１を用いて本開示の一実施形態に係る情報処理システム１の構成例について説明した。続いて、本開示の一実施形態に係る情報処理システム１の詳細な機能構成例について説明する。
【００３４】
図２は、本開示の一実施形態に係る情報処理システム１を構成する各装置の、詳細な機能構成例を示す説明図である。以下、図２を用いて本開示の一実施形態に係る情報処理システム１を構成する各装置の、詳細な機能構成例について説明する。
【００３５】
図２に示したように、本開示の一実施形態に係るウェアラブルデバイス１００は、撮像部１１０と、記憶部１２０と、センサ部１３０と、制御部１４０と、マイク１５０と、通信部１６０と、を含んで構成される。
【００３６】
撮像部１１０は、レンズや撮像素子等を含み、制御部１４０からの指示に基づいて画像の撮像を行なう。撮像部１１０は、静止画像または動画像の撮像を行なう。撮像部１１０における撮像処理で得られる画像は、必要に応じて記憶部１２０に記憶されたり、制御部１４０によって画像処理が行われたりする。撮像部１１０における撮像処理で得られる画像は、通信部１６０によってサーバ装置３００に送信され得る。
【００３７】
記憶部１２０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の様々な記憶媒体で構成され得る。記憶部１２０は、ウェアラブルデバイス１００の動作のためのプログラムや各種情報を記憶する。ウェアラブルデバイス１００が記憶する情報には、例えば、上述の撮像部１１０によって撮像された画像や、後述のセンサ部１３０が出力するセンシングデータなどが含まれ得る。記憶部１２０に記憶されているプログラムや各種情報は、制御部１４０によって随時読み出される。
【００３８】
ウェアラブルデバイス１００の記憶部１２０には、地図情報が記憶されていても良い。記憶部１２０に地図情報が記憶されることで、後述の制御部１４０は、地図情報を照合しながらユーザ２０の安全度を決定することが出来る。
【００３９】
センサ部１３０は、センシングデータを制御部１４０に出力する。センサ部１３０を構成するセンシングデバイスとして、例えばＧＰＳ（Ｇｌｏｂａｌ  Ｐｏｓｉｔｉｏｎｉｎｇ  Ｓｙｓｔｅｍ）、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）、ＢＤＳ（ＢｅｉＤｏｕ  Ｎａｖｉｇａｔｉｏｎ  Ｓａｔｅｌｌｉｔｅ  Ｓｙｓｔｅｍ）等の現在位置を取得するセンサ、カメラ、深度情報付きカメラ、人感センサ、マイク等が含まれ得る。従って、センサ部１３０の一部として上述の撮像部１１０が含まれていても良い。
【００４０】
このようなセンシングデバイスは、装置にかかる加速度や角速度、方位、照度、温度、気圧などを検出する。上記の各種センシングデバイスは、例えばセンシングデバイスを含む装置がユーザによって携帯または装着されている場合に、各種情報をユーザに関する情報、例えばユーザの運動や向きなどを示す情報として検出することができる。また、センシングデバイスは、他にも、脈拍、発汗、脳波、触覚、嗅覚、味覚など、ユーザの生体情報を検出するセンサを含んでもよい。
【００４１】
制御部１４０は、例えばＣＰＵ（Ｃｅｎｔｒａｌ  Ｐｒｏｃｅｓｓｉｎｇ  Ｕｎｉｔ）、ＲＯＭ、ＲＡＭなどで構成され、ウェアラブルデバイス１００の動作を制御する。制御部１４０は、例えば記憶部１２０に記憶されているコンピュータプログラムを読みだして順次実行することで、ウェアラブルデバイス１００の動作を制御してもよい。
【００４２】
本実施形態では、制御部１４０は、ユーザ２０が安全な状態にあるかどうかを示す指標（安全度）が所定の閾値を超えているかどうかを判定し、その判定結果に基づいて、情報の記録のための処理頻度を決定する。本実施形態では、制御部１４０は、情報の記録のための処理頻度として、撮像装置に画像を撮像させて、撮像結果を記録する撮像頻度を決定する。また本実施形態では、制御部１４０は、情報の記録のための処理頻度として、撮像装置の撮像処理の結果として得られた画像を含んだ情報を、サーバ装置３００を介して携帯端末２００に送信し、携帯端末２００に記録させる通知頻度を決定する。
【００４３】
マイク１５０は、ウェアラブルデバイス１００の周囲の音を収音して音声信号を生成する。マイク１５０によって生成される音声信号は、必要に応じて記憶部１２０に記憶されたり、制御部１４０によって音声処理が行われたりする。マイク１５０における収音で得られる音声信号は、通信部１６０によってサーバ装置３００に送信され得る。
【００４４】
通信部１６０は、外部との間で通信処理を実行する。通信部１６０が実行する通信処理は所定の規格やプロトコルに限定されるものではない。本実施形態では、通信部１６０は、ネットワーク１０を通じてサーバ装置３００との間で各種情報の送受信を実行するよう構成されている。
【００４５】
なお図２には図示していないが、ウェアラブルデバイス１００はバッテリを備え、バッテリが供給する直流電力によって動作する。ウェアラブルデバイス１００が備えるバッテリは、充放電可能な二次電池であってもよく、直流電力の放電のみが可能な一次電池であってもよい。
【００４６】
図２に示したように、本開示の一実施形態に係る携帯端末２００は、表示部２１０と、入力部２２０と、記憶部２３０と、制御部２４０と、通信部２５０と、を含んで構成される。
【００４７】
表示部２１０は、液晶ディスプレイ、有機ＥＬディスプレイ等のディスプレイパネルで構成され、文字、画像等の各種情報を表示するデバイスである。本実施形態では、表示部２１０は、後述するように、所定のＧＵＩによって、ウェアラブルデバイス１００で撮像された画像を表示することが出来る。なお表示部２１０にはタッチパネルが設けられていてもよく、表示部２１０をユーザに触らせることで入力操作を受け付けるようにしてもよい。その場合、表示部２１０は後述の入力部２２０としても機能し得る。
【００４８】
入力部２２０は、ユーザからの入力を受け付ける各種インプットデバイスであり、例えばキーボード、マウス、タッチパネルなどで構成され得る。
【００４９】
また各種センシングデバイスも入力部２２０として機能し得る。そのようなセンシングデバイスとして、例えばＧＰＳ、ＧＬＯＮＡＳＳ、ＢＤＳ等の現在位置を取得するセンサ、カメラ、深度情報付きカメラ、人感センサ、マイク等が含まれ得る。
【００５０】
このようなセンシングデバイスは、装置にかかる加速度や角速度、方位、照度、温度、気圧などを検出する。上記の各種センシングデバイスは、例えばセンシングデバイスを含む装置がユーザによって携帯または装着されている場合に、各種情報をユーザに関する情報、例えばユーザの運動や向きなどを示す情報として検出することができる。また、センシングデバイスは、他にも、脈拍、発汗、脳波、触覚、嗅覚、味覚など、ユーザの生体情報を検出するセンサを含んでもよい。
【００５１】
記憶部２３０は、例えばＲＯＭ、ＲＡＭ等の様々な記憶媒体で構成され得る。記憶部２３０は、携帯端末２００の動作のためのプログラムや各種情報を記憶する。本実施形態では、記憶部２３０は、ウェアラブルデバイス１００で取得され、サーバ装置３００から送信された各種情報を記憶し得る。ウェアラブルデバイス１００で取得され、サーバ装置３００から送信される情報には、ウェアラブルデバイス１００で撮像された画像や、ウェアラブルデバイス１００で収音された音声、ウェアラブルデバイス１００で取得されたセンシングデータに基づいた情報等が含まれ得る。
【００５２】
制御部２４０は、例えばＣＰＵ、ＲＯＭ、ＲＡＭなどで構成され、携帯端末２００の動作を制御する。制御部２４０は、記憶部２３０に記憶されているコンピュータプログラムを読み出して順次実行することで、携帯端末２００の動作を制御してもよい。本実施形態では、制御部２４０は、例えば表示部２１０へのＧＵＩの表示を制御したり、ＧＵＩに対するユーザの入力部２２０による入力操作に対する各種処理を実行したりする。
【００５３】
通信部２５０は、外部との間で通信処理を実行する。通信部２５０が実行する通信処理は所定の規格やプロトコルに限定されるものではない。本実施形態では、通信部２５０は、ネットワーク１０を通じてサーバ装置３００との間で各種情報の送受信を実行するよう構成されている。
【００５４】
図２に示したように、本開示の一実施形態に係るサーバ装置３００は、記憶部３１０と、通信部３２０と、制御部３３０と、を含んで構成される。
【００５５】
記憶部３１０は、例えばＲＯＭ、ＲＡＭ等の様々な記憶媒体で構成され得る。記憶部３１０は、サーバ装置３００の動作のためのプログラムや各種情報を記憶する。本実施形態では、記憶部３１０は、ウェアラブルデバイス１００で取得された各種情報を記憶し得る。ウェアラブルデバイス１００で取得される情報には、ウェアラブルデバイス１００で撮像された画像や、ウェアラブルデバイス１００で収音された音声、ウェアラブルデバイス１００で取得されたセンシングデータに基づいた情報等が含まれ得る。
【００５６】
通信部３２０は、外部との間で通信処理を実行する。通信部３２０が実行する通信処理は所定の規格やプロトコルに限定されるものではない。本実施形態では、通信部３２０は、ネットワーク１０を通じてウェアラブルデバイス１００や携帯端末２００との間で各種情報の送受信を実行するよう構成されている。
【００５７】
制御部３３０は、例えばＣＰＵ、ＲＯＭ、ＲＡＭなどで構成され、サーバ装置３００の動作を制御する。制御部３３０は、記憶部３１０に記憶されているコンピュータプログラムを読み出して順次実行することで、サーバ装置３００の動作を制御してもよい。
【００５８】
以上、図２を用いて本開示の一実施形態に係る情報処理システム１を構成する各装置の、詳細な機能構成例について説明した。続いて、図２に示したウェアラブルデバイス１００に含まれる、制御部１４０の機能構成例について説明する。
【００５９】
図３は、本開示の一実施形態に係るウェアラブルデバイス１００に含まれる、制御部１４０の機能構成例を示す説明図である。以下、図３を用いて制御部１４０の機能構成例について説明する。
【００６０】
図３に示したように、制御部１４０は、判定結果取得部１４１と、処理頻度決定部１４２と、画像処理部１４３と、位置検出処理部１４４と、を含んで構成される。
【００６１】
判定結果取得部１４１は、ウェアラブルデバイス１００を携帯しているユーザ２０が安全な状態にあるかどうかを示す指標（安全度）が所定の閾値を超えているかどうかを判定し、その判定結果を取得する。
【００６２】
処理頻度決定部１４２は、判定結果取得部１４１が取得した、ウェアラブルデバイス１００を携帯しているユーザ２０が安全な状態にあるかどうかを示す指標（安全度）が所定の閾値を超えているかどうかの判定結果に基づいて、ウェアラブルデバイス１００が取得した情報の記録のための処理頻度を決定する。本実施形態では、処理頻度決定部１４２は、ウェアラブルデバイス１００が取得した情報の記録のための処理頻度として、撮像装置に画像を撮像させて、撮像結果を記録する撮像頻度を決定する。また本実施形態では、制御部１４０は、情報の記録のための処理頻度として、撮像装置の撮像処理の結果として得られた画像を含んだ情報を、サーバ装置３００を介して携帯端末２００に送信し、携帯端末２００に記録させる通知頻度を決定する。
【００６３】
判定結果取得部１４１は、例えば後述の位置検出処理部１４４によって検出された、ウェアラブルデバイス１００の現在位置の情報に基づいて、ウェアラブルデバイス１００を携帯しているユーザ２０の安全度を求める。ウェアラブルデバイス１００の現在位置の情報に基づいて安全度を求める際には、記憶部１２０に記憶されている地図情報と照合してもよい。例えばウェアラブルデバイス１００を携帯しているユーザ２０が小学生であり、ウェアラブルデバイス１００の現在位置を検出した結果、その小学生が通っている小学校にいることが分かれば、判定結果取得部１４１は、ユーザ２０の安全度は極めて高いと判定する。
【００６４】
そして処理頻度決定部１４２は、判定結果取得部１４１が取得した判定結果に基づいて、ウェアラブルデバイス１００が取得した情報の記録のための処理頻度を低くしたり、または処理機能そのものをオフにしたりすることが出来る。
【００６５】
画像処理部１４３は、撮像部１１０で撮像された画像に対する画像処理を実行する。撮像部１１０で撮像された画像に対する画像処理としては、例えば、画像の切り取り（トリミング）処理、画像中の顔や物体を認識する認識処理、画像のサイズや解像度を変換する変換処理などが含まれ得る。画像処理部１４３は、画像中の顔を認識する認識処理を行なう場合、認識した顔が予め登録された人物かどうかを判定し得る。また画像処理部１４３は、画像中の物体を認識する認識処理を行なう場合、認識した物体が何であるかを判定し得る。処理頻度決定部１４２は、画像処理部１４３による画像処理の結果に基づいて、処理頻度を決定しても良い。処理頻度決定部１４２による、画像処理の結果に基づいた処理頻度の決定処理については後述する。
【００６６】
位置検出処理部１４４は、ウェアラブルデバイス１００の現在位置を検出する。位置検出処理部１４４は、ウェアラブルデバイス１００の現在位置を検出する際には、センサ部１３０で取得されたセンシングデータを用いる。位置検出処理部１４４が検出したウェアラブルデバイス１００の現在位置の情報は、処理頻度決定部１４２による処理頻度の決定に用いられ得る。
【００６７】
以上、図３を用いて制御部１４０の機能構成例について説明した。続いて、本開示の一実施形態に係るウェアラブルデバイス１００の動作例について説明する。
【００６８】
［１．３．動作例］
図４は、本開示の一実施形態に係るウェアラブルデバイス１００の動作例を示す流れ図である。図４に示したのは、ウェアラブルデバイス１００が携帯されているユーザ２０の安全度を判定し、ウェアラブルデバイス１００が取得した情報の記録のための処理頻度を決定する際の、ウェアラブルデバイス１００の動作例を示す流れ図である。以下、図４を用いて本開示の一実施形態に係るウェアラブルデバイス１００の動作例について説明する。
【００６９】
ウェアラブルデバイス１００は、ウェアラブルデバイス１００が取得した情報の記録のための処理頻度を決定する際に、まずウェアラブルデバイス１００を携帯したユーザ２０が安全な状態にいるかどうかを判定する（ステップＳ１０１）。このステップＳ１０１の判定処理は、例えば判定結果取得部１４１が実行する。
【００７０】
上記ステップＳ１０１の判定処理の具体例について、ウェアラブルデバイス１００が携帯されているユーザ２０が小学生である場合を例に挙げて説明する。
【００７１】
ユーザ２０が小学生である場合、ウェアラブルデバイス１００は、ユーザ２０が学校にいるときはユーザ２０の安全度が高いと判断する。ウェアラブルデバイス１００は、センサ部１３０によって得られる現在位置の情報や、現在の時刻の情報を用いて学校にいるかどうかを判断してもよい。また、例えばセキュリティ確保のためのカメラ（セキュリティカメラ）が学校に設置されていることが予め分かっていれば、ウェアラブルデバイス１００は、さらにユーザ２０の安全度が高いと判断してもよい。
【００７２】
また、ユーザ２０が小学生である場合、ウェアラブルデバイス１００は、授業が終わって学校から離れたときは、ユーザ２０の安全度が低いと判断する。
【００７３】
また、公共のセキュリティカメラの場所が予め分かっていれば、ウェアラブルデバイス１００は、その公共のセキュリティカメラの場所の近くではユーザ２０の安全度がやや高いと判断してもよい。
【００７４】
また、センサ部１３０が出力するセンシングデータから、ウェアラブルデバイス１００を身に付けたユーザ２０が、普段と違う行動をとっていることが分かれば、ウェアラブルデバイス１００は、ユーザ２０の安全度が低いと判断する。例えば、ユーザ２０は、毎週水曜日の１７時３０分に決まった交差点を曲がっているのに、センサ部１３０が出力するセンシングデータから、１７時５０分になってもその交差点に達していないことが分かれば、ウェアラブルデバイス１００は、ユーザ２０の安全度が低いと判断する。
【００７５】
もちろん、上述したユーザ２０の安全度の判断は一例に過ぎないことは言うまでもなく、ウェアラブルデバイス１００は、センサ部１３０によって得られる現在位置の情報や現在時刻の情報などから、安全度を判断することが可能である。
【００７６】
ステップＳ１０１で、ウェアラブルデバイス１００を携帯したユーザ２０が安全な状態にいるかどうかを判定すると、続いてウェアラブルデバイス１００は、判定結果に基づいて、撮像部１１０による画像の撮像頻度を決定する（ステップＳ１０２）。ステップＳ１０２の撮像頻度の決定処理は、例えば処理頻度決定部１４２が実行する。
【００７７】
例えば、ユーザ２０が学校にいて、ユーザ２０の安全度が高いと判断された場合、ウェアラブルデバイス１００は、撮像部１１０による画像の撮像頻度を例えば３時間に１回等の非常に長い間隔に決定したり、または撮像部１１０による画像の撮像を行わないようにしたりしてもよい。また例えば、ユーザ２０が学校を離れ、ユーザ２０の安全度が低下したと判断された場合、ウェアラブルデバイス１００は、撮像部１１０による画像の撮像頻度を上げて、例えば１０分に１回等の短い間隔に決定してもよい。
【００７８】
また例えば、ユーザ２０が学校を離れても、公共のセキュリティカメラの場所の近くにいて、ユーザ２０の安全度がやや高いと判断された場合、ウェアラブルデバイス１００は、撮像部１１０による画像の撮像頻度を、公共のセキュリティカメラが近くに無い場合に比べて下げて、例えば２０分に１回等の間隔に決定してもよい。このようにウェアラブルデバイス１００は、ユーザ２０が公共のセキュリティカメラの場所の近くにいる場合は撮像部１１０による画像の撮像頻度を下げることで、ウェアラブルデバイス１００のバッテリの消費を抑えることが出来る。
【００７９】
また例えば、ユーザ２０が学校を離れても、ウェアラブルデバイス１００を身に付けたユーザ２０が狭い公園にいるなどして、ユーザ２０の場所が所定の時間に渡って大きく変化しない場合は、ウェアラブルデバイス１００は、撮像部１１０による画像の撮像頻度を、例えば上記の１０分に１回よりも長い時間、例えば２０分に１回等の間隔に決定してもよい。
【００８０】
上記ステップＳ１０２で、撮像部１１０による画像の撮像頻度を決定すると、続いてウェアラブルデバイス１００は、上記ステップＳ１０２で決定した撮像頻度に基づいて、撮像部１１０に画像を撮像させるとともに、撮像部１１０が撮像した画像に基づいてユーザ２０の安全度を更新する（ステップＳ１０３）。
【００８１】
ウェアラブルデバイス１００は、撮像部１１０が撮像した画像を画像処理部１４３で解析することで、ユーザ２０の周囲がどのような状況なのかを把握することが出来る。例えば、撮像部１１０が撮像した画像に人が写っている場合、画像処理部１４３で画像の解析が行われることで、ウェアラブルデバイス１００は、ユーザ２０の周囲に人がいるか、人がいる場合、一緒にいるのは誰であるのかを把握することが出来る。そして、ユーザ２０と一緒にいる人物が、予め登録された人物でないことが分かれば、ウェアラブルデバイス１００は、画像の撮像頻度を上げる（例えば撮像する間隔を短縮する）よう決定することが出来る。
【００８２】
上記ステップＳ１０３で、決定した撮像頻度に基づいて撮像部１１０に画像を撮像させ、撮像画像に基づいてユーザ２０の安全度を更新すると、続いてウェアラブルデバイス１００は、更新された安全度、及び撮像画像に基づいて、撮像頻度及び通知頻度を決定する（ステップＳ１０４）。ステップＳ１０４の通知頻度の決定処理は、例えば処理頻度決定部１４２が実行する。
【００８３】
そして上記ステップＳ１０４で撮像頻度及び通知頻度を決定すると、続いてウェアラブルデバイス１００は、決定した撮像頻度に基づいて撮像して、撮像画像に基づいて安全度を更新するとともに、上記ステップＳ１０４で決定した通知頻度に基づいて通知する（ステップＳ１０５）。決定した通知頻度に基づいて通知すると、ウェアラブルデバイス１００は、上記ステップＳ１０１の安全度の判定処理に戻っても良い。
【００８４】
例えば、上記ステップＳ１０３において撮像画像の解析が行われた結果、ユーザ２０と一緒にいる人物が、予め登録された人物で無く、その人物が単にすれ違ったのではなく、常にその人物が撮像画像に写っている場合、ウェアラブルデバイス１００は、誰か知らない人がユーザ２０の近くにいることを携帯端末２００に通知するため、情報をサーバ装置３００に送信する。
【００８５】
例えば、上記ステップＳ１０３において撮像画像の解析が行われた結果、ユーザ２０と一緒にいる人物が、予め登録された友人であることが分かれば、ウェアラブルデバイス１００は、ユーザ２０の友人がユーザ２０の近くにいることを携帯端末２００に通知するため、情報をサーバ装置３００に送信してもよい。また、上記ステップＳ１０３において撮像画像の解析が行われた結果、予め登録された友人が撮像画像からいなくなれば、ウェアラブルデバイス１００は、ユーザ２０の友人がユーザ２０の近くからいなくなったことを携帯端末２００に通知するため、情報をサーバ装置３００に送信してもよい。
【００８６】
他にも、ウェアラブルデバイス１００は、撮像画像に対して顔認識処理を行って、同じ人が所定時間（所定回数）以上写っている場合は、同じ人物がユーザ２０の近くにいることを携帯端末２００に通知するため、情報をサーバ装置３００に送信してもよい。また例えば、ウェアラブルデバイス１００は、撮像画像に対して顔認識処理を行って、ユーザ２０の周囲に大人が近づいたことが分かれば、大人がユーザ２０の近くにいることを携帯端末２００に通知するため、情報をサーバ装置３００に送信してもよい。
【００８７】
ここまで、ウェアラブルデバイス１００は撮像画像に基づいて安全度を更新して撮像頻度及び通知頻度を決定していたが、他にも、センシングデータの情報に基づいて安全度を更新して撮像頻度及び通知頻度を決定してもよい。
【００８８】
例えば、ウェアラブルデバイス１００の現在位置が、予め登録されている、車の交通量が多い道や、見通しの悪い道であることがセンシングデータの情報から分かった場合は、ウェアラブルデバイス１００は、撮像頻度や通知頻度を上げても良い。なおウェアラブルデバイス１００は、車の交通量が多い道や、見通しの悪い道であるかどうかについては、撮像画像から判定してもよい。すなわち、ウェアラブルデバイス１００は、撮像画像に含まれる風景の内容に基づいて撮像頻度や通知頻度を決定してもよい。また、ウェアラブルデバイス１００の現在位置が、位置情報や照度センサなどから暗い道にいることが分かれば、ウェアラブルデバイス１００は、撮像頻度や通知頻度を上げても良い。またウェアラブルデバイス１００は、時刻や現在の天気などによって撮像頻度、通知頻度を変化させても良い。
【００８９】
またウェアラブルデバイス１００は、後ろから不審者が近づいたり、またウェアラブルデバイス１００をユーザ２０が落としたりしたようなことが推測されるセンシングデータをセンサ部１３０から得ると、撮像頻度や通知頻度を上げても良い。
【００９０】
例えば、センサ部１３０に加速度センサが含まれ、ユーザ２０が後ろを振り向いたり、暴れたり、また急に走り出したことが推測されるセンシングデータをセンサ部１３０から得ると、ウェアラブルデバイス１００は、撮像頻度や通知頻度を上げても良い。
【００９１】
また例えば、車にぶつかったり、高いところから落下したりするなど、強い衝撃、落下を検知した場合に得られるセンシングデータをセンサ部１３０から得ると、ウェアラブルデバイス１００は、撮像頻度や通知頻度を上げても良い。
【００９２】
またウェアラブルデバイス１００は、ユーザ２０のスケジュールや、ユーザ２０の毎日の行動から異なる行動をユーザ２０が行ったことが分かれば、撮像頻度や通知頻度を上げても良い。例えば、所定の位置を本来通過する時間に、ユーザ２０が通過しなかったことが分かれば、ウェアラブルデバイス１００は、撮像頻度や通知頻度を上げても良い。
【００９３】
なお、所定の位置を本来通過する時間に、ユーザ２０が通過しなかった場合であっても、例えばユーザ２０が友達と話しながら歩いている等の理由で遅れているだけかもしれない。従って、所定の位置を本来通過する時間にユーザ２０が通過しなかった場合、その時間から所定の時間が経過してもなおその所定の位置を通過しなければ、ウェアラブルデバイス１００は撮像頻度だけを上げて、撮像頻度を上げてからさらに所定の時間が経過してもなおその所定の位置を通過しなければ、ウェアラブルデバイス１００は撮像頻度をさらに上げるとともに通知頻度を上げるようにしてもよい。この所定の時間は、通知を受ける携帯端末２００のユーザによって変更出来るようにしてもよい、
【００９４】
またウェアラブルデバイス１００は、センサ部１３０からのセンシングデータによって、ユーザ２０が乗り物に乗ったり、乗り物から降りたりしたことが分かれば、乗り物の乗降のタイミングで処理頻度を決定してもよい。例えばウェアラブルデバイス１００は、ユーザ２０が電車に乗った、自転車に乗った、等のタイミングで処理頻度を決定してもよい。
【００９５】
またウェアラブルデバイス１００は、センサ部１３０からのセンシングデータによって、ユーザ２０がウェアラブルデバイス１００を外したことが分かれば、そのタイミングで処理頻度を上げるようにしてもよい。
【００９６】
またウェアラブルデバイス１００は、撮像部１１０が撮像した画像に同じ物が数多く映っている場合は、通知頻度を下げるように決定してもよい。
【００９７】
またウェアラブルデバイス１００は、自装置のバッテリの残量を確認し、所定量以下に減っている場合は、処理頻度を下げるように決定してもよい。またウェアラブルデバイス１００は、センサ部１３０が独自にバッテリを備えている場合は、センサ部１３０のバッテリの残量を確認し、所定量以下に減っている場合は、処理頻度を下げるように決定してもよい。
【００９８】
またウェアラブルデバイス１００は、携帯端末２００との間の距離に応じて処理頻度を変化させても良い。ウェアラブルデバイス１００は、携帯端末２００との間の距離を、例えば携帯端末２００から発せられる所定の電波の強度に基づいて推測してもよい。例えば、ウェアラブルデバイス１００は、携帯端末２００が近くにある場合は処理頻度を下げるが、携帯端末２００が近くにいた状況から少し離れた場合は、ユーザ２０が迷子になった可能性が考えられ、そのような場合には処理頻度を上げる。
【００９９】
ウェアラブルデバイス１００からの通知を受けた（サーバ装置３００から通知を受信した）携帯端末２００のユーザは、ウェアラブルデバイス１００からの通知内容を確認し、その確認の結果に応じてウェアラブルデバイス１００の処理頻度を変化させてもよい。
【０１００】
例えば、ウェアラブルデバイス１００が、ユーザ２０の近くに登録されていない人物がいることを、その人物の画像と共に通知した場合に、携帯端末２００のユーザが、その人物は顔見知りであるから問題無い旨をウェアラブルデバイス１００に返答すると、ウェアラブルデバイス１００は、処理頻度を下げる。
【０１０１】
また例えば、ユーザ２０の行動が予定されたスケジュールと違っても、携帯端末２００のユーザがそのことを把握してあるから問題無い旨をウェアラブルデバイス１００に返答すると、ウェアラブルデバイス１００は、処理頻度を下げる。
【０１０２】
なお、ウェアラブルデバイス１００における処理頻度は、携帯端末２００から指定されるようにしてもよい。
【０１０３】
ここまでの説明では、ウェアラブルデバイス１００の処理頻度の決定のための処理はすべてウェアラブルデバイス１００で行なう場合を示したが、ウェアラブルデバイス１００の処理頻度の決定のための処理の一部またはすべてをサーバ装置３００に移してもよい。すなわち、画像の保存や、人または状況の解析と識別などをサーバ装置３００に行わせてもよい。
【０１０４】
ウェアラブルデバイス１００の処理頻度の決定のための処理の一部またはすべてをサーバ装置３００に移す場合、他のユーザが携帯するウェアラブルデバイス１００の情報と組み合わせて、ウェアラブルデバイス１００の処理頻度を決定してもよい。例えば、あるユーザ２０のウェアラブルデバイス１００の処理頻度には登録されていない人であっても、他のユーザのウェアラブルデバイス１００にその人が登録されている場合は、サーバ装置３００に、当該他のユーザのウェアラブルデバイス１００に登録されている情報を利用してもよい。
【０１０５】
またサーバ装置３００が処理頻度の決定を行なう場合、あるユーザ２０の近くにいる他のユーザが携帯するウェアラブルデバイス１００の情報と組み合わせて、ウェアラブルデバイス１００の処理頻度を決定してもよい。例えばサーバ装置３００は、あるユーザ２０のウェアラブルデバイス１００が撮像した画像と、当該ユーザ２０の近くにいる他のユーザが携帯するウェアラブルデバイス１００が撮像した画像とを比較することで、あるユーザ２０のウェアラブルデバイス１００の処理頻度の決定を行っても良い。
【０１０６】
またウェアラブルデバイス１００は、他の装置との連携によってウェアラブルデバイス１００の処理頻度を決定してもよい。
【０１０７】
またウェアラブルデバイス１００は、撮像部１１０が分離出来る場合に、撮像部１１０が撮像した画像と、センサ部１３０が取得した現在位置の情報とが異なっていることが分かった場合、処理頻度を上げるように決定してもよい。ウェアラブルデバイス１００は、撮像部１１０が撮像した画像と、センサ部１３０が取得した現在位置の情報とが異なっていることが分かった場合に処理頻度を上げることで、撮像部１１０またはセンサ部１３０のどちらかを落としたことを携帯端末２００のユーザに通知することが可能になる。
【０１０８】
ウェアラブルデバイス１００は、撮像部１１０で動画像を撮像してもよい。そしてウェアラブルデバイス１００は、静止画像ではなく動画像を携帯端末２００にストリーミング送信することで携帯端末２００へ通知してもよい。しかし、動画像を撮像して、動画像を携帯端末２００にストリーミング送信し続けることは、ウェアラブルデバイス１００のバッテリの消費量が増加し、またウェアラブルデバイス１００の処理負荷の増加に伴い熱も発生する。
【０１０９】
そこでウェアラブルデバイス１００は、撮像部１１０で撮像した動画像は記憶部１２０に保存しつつ、携帯端末２００には静止画を送信することで携帯端末２００へ通知してもよい。そして、携帯端末２００のユーザが指定した場合に、携帯端末２００はウェアラブルデバイス１００へアクセスして、ウェアラブルデバイス１００に保持している動画像を再生するようにしても良い。ウェアラブルデバイス１００に保持している動画像を携帯端末２００で再生する場合に、携帯端末２００のユーザが効率よく再生できるようにするために、ウェアラブルデバイス１００は、動画像のファイルを分割して保存してもよい。ウェアラブルデバイス１００は、動画像のファイルを分割して保存することで、動画像のファイルサイズを小さくし、転送にかかる時間などを減らすことができる。
【０１１０】
携帯端末２００が表示するユーザインタフェース（ＵＩ）の例を示す。図５は、携帯端末２００の表示部２１０に表示されるユーザインタフェースの例を示す説明図である。図５には、地図上に、ウェアラブルデバイス１００が撮像した画像と、撮像した場所とを重畳させたユーザインタフェースの例が示されている。
【０１１１】
図５に示したユーザインタフェースには、撮像した画像に映っているのが誰なのかも、併せて示されている。図５の符号Ｕ１で示したのが、ウェアラブルデバイス１００の撮像部１１０が撮像した画像、画像に映っている人物、及び画像が撮像された日時が含まれた情報である。符号Ｕ１に示した情報は、撮像部１１０による撮像処理が行われた場所に対応するように表示される。
【０１１２】
このように、携帯端末２００が表示するユーザインタフェースは、画像をそのまま出すだけでなく、地図上に画像を表示させることで、どこで撮られた画像なのかを提示することができる。また携帯端末２００に通知された理由も一緒に把握できるようなユーザインタフェースとしてもよい。
【０１１３】
図６及び図７は、携帯端末２００の表示部２１０に表示されるユーザインタフェースの別の例を示す説明図である。
【０１１４】
図６に示したユーザインタフェースの符号Ｕ２は、ウェアラブルデバイス１００の撮像部１１０が撮像した画像である。符号Ｕ２に示した画像は、撮像部１１０による撮像処理が行われた場所に対応するように表示される。図６に示したユーザインタフェースの符号Ｕ３は、ウェアラブルデバイス１００を身に付けたユーザ２０が誰と一緒にいるかを示すアイコンである。図６に示したユーザインタフェースの符号Ｕ４は、ウェアラブルデバイス１００を身に付けたユーザ２０と一緒にいるユーザが携帯しているウェアラブルデバイス１００によって取得された画像を表示させるためのアイコンである。図６に示したユーザインタフェースの符号Ｕ５は、時間を変化させるスクロールバーであり、携帯端末２００のユーザによってスライド操作が行われると、表示部２１０に表示する情報が変化する。
【０１１５】
図７は、図６の符号Ｕ５で示したスクロールバーの操作によって表示部２１０に表示される情報が変化する例を示す説明図である。スクロールバーが左の方、つまり時間的に前の方に操作されると、例えばユーザ２０が自宅のマンションを出たばかりで一人であり、一緒にいる他のユーザはいない状態が表示されるが、スクロールバーが右の方、つまり時間的に後の方に操作されると、例えばユーザ２０が公園に移動し、友達と一緒にいる状態が表示される。
【０１１６】
携帯端末２００が表示するユーザインタフェースは係る例に限定されるものではない。例えば、いつどこで誰と会っていたかを、顔の部分を中心にアドレス帳のように表示するようにしてもよい。
【０１１７】
もちろん、携帯端末２００は、このようなユーザインタフェースだけでなく、音声によってウェアラブルデバイス１００からの情報の通知をユーザに知らせても良い。
【０１１８】
ウェアラブルデバイス１００から送信された画像以外の画像はウェアラブルデバイス１００に記録されているので、携帯端末２００のユーザは、他にどんな画像が撮像されているのか気になった場合には、携帯端末２００からウェアラブルデバイス１００へアクセスすることで、ウェアラブルデバイス１００に保存され、携帯端末２００に送信されていない画像を携帯端末２００で見ることができる。
【０１１９】
ウェアラブルデバイス１００は、所定の枚数を撮像すると、複数の画像を１つにまとめて、携帯端末２００に送信してもよい。例えば、２５枚の画像を撮像すると、縦５枚、横５枚のグリッド状にした１枚の画像として、携帯端末２００に送信してもよい。ウェアラブルデバイス１００は、複数の画像を１つにまとめる際には、既に携帯端末２００に送信した画像は除外してもよく、既に携帯端末２００に送信した画像を含めても良い。
【０１２０】
ユースケース例として、例えばウェアラブルデバイス１００の使用をユーザ２０が開始すると、ウェアラブルデバイス１００は、まずは所定の間隔で撮像部１１０に画像を撮像させるモードとなる。そのモードで数日間、ユーザ２０がウェアラブルデバイス１００を使用すると、ウェアラブルデバイス１００は、取得した画像や位置情報などにより、ユーザ２０が普段どのような行動をとっているかが分かり、また携帯端末２００も、ユーザ２０がどのような行動をとっているかをユーザインタフェースで提示することができる。
【０１２１】
従って、携帯端末２００のユーザは、提示されたユーザインタフェースに対する操作を行って、ウェアラブルデバイス１００の処理頻度を変化させる場所や時間を指定することができる。ウェアラブルデバイス１００の処理頻度を変化させる場所や時間を指定する際に使用する情報は、他にもパブリックなもの（公共機関が提供するもの）や、ソーシャルなもの（不特定のユーザによって通報されたり、画像で自動判別されたりするもの）であってもよい。
【０１２２】
ウェアラブルデバイス１００の処理頻度の変化によって、携帯端末２００のユーザは、ウェアラブルデバイス１００を身に付けたユーザ２０の状態を、ユーザ２０から離れた場所にいても把握することが出来る。
【０１２３】
ウェアラブルデバイス１００は、処理頻度以外にも、携帯端末２００へ通知する情報の量を変化させても良い。ウェアラブルデバイス１００は、例えば、撮像された画像の解像度を変化させても良く、撮像された画像のみでなく、マイクで収音された音声も携帯端末２００へ通知する情報として使用してもよく、またセンサ部１３０で生体情報が取得できる場合は、生体情報も携帯端末２００へ通知する情報として使用してもよい。
【０１２４】
複数のユーザがウェアラブルデバイス１００を持っており、それら複数のユーザが近い場所にいる場合、すべてのウェアラブルデバイス１００が画像を撮像してサーバ装置３００に送信するのは無駄である場合がある。従って、複数のユーザがウェアラブルデバイス１００を持っており、それら複数のユーザが近い場所にいることが分かれば、ある１つのウェアラブルデバイス１００のみが画像を撮像してサーバ装置３００に送信してもよい。ある１つのウェアラブルデバイス１００のみが画像を撮像してサーバ装置３００に送信することで、それぞれのウェアラブルデバイス１００のバッテリを節約できる。この場合、バッテリの残量が最も多いウェアラブルデバイス１００のみが画像を撮像してサーバ装置３００に送信してもよい。
【０１２５】
複数のウェアラブルデバイス１００で画像が撮像される場所は、安全度が低い場所としてサーバ装置３００が自動的に認識してもよく、そのような場所があることを、ウェアラブルデバイス１００や携帯端末２００に通知してもよい。複数のウェアラブルデバイス１００で画像が撮像される場所の情報をサーバ装置３００から受信することで、ウェアラブルデバイス１００は、その場所にユーザ２０が近づくと処理頻度を上げるように決定することが可能となる。
【０１２６】
ウェアラブルデバイス１００は、撮像部１１０に撮像させた画像を含んだ情報の通知先として、サーバ装置３００を選択してもよい。例えばサーバ装置３００が、ウェアラブルデバイス１００が撮像部１１０に撮像させた画像の解析処理等を行なうよう構成されている場合、ウェアラブルデバイス１００は、撮像部１１０に撮像させた画像をサーバ装置３００へ送信し、サーバ装置３００で画像を解析させる。そしてウェアラブルデバイス１００は、サーバ装置３００での解析結果を取得し、その解析結果から処理頻度を決定してもよい。
【０１２７】
またウェアラブルデバイス１００や携帯端末２００は、ユーザの発話内容に基づいて撮像装置に画像を撮像させても良い。例えばウェアラブルデバイス１００のユーザ２０が「これなに？」と発話したのをマイク１５０が集音すると、ウェアラブルデバイス１００は、その発話内容に基づいて撮像部１１０に画像を撮像させても良い。またウェアラブルデバイス１００からの通知を受けた携帯端末２００のユーザが「これなに？」と発話したのを携帯端末２００のマイクが集音すると、携帯端末２００は、ウェアラブルデバイス１００に対して撮像を指示してもよい。
【０１２８】
なおサーバ装置３００での画像の解析は、サーバ装置３００が自動で行っても良いが、サーバ装置３００を運用するユーザが撮像画像を見て、誰が写っているのかを判定し、その判定結果をウェアラブルデバイス１００に返すようにしても良い。
【０１２９】
またウェアラブルデバイス１００は、撮像部１１０に撮像させるための専用のボタン等の入力装置を備えていても良い。ウェアラブルデバイス１００のユーザがその入力装置を操作すると、ウェアラブルデバイス１００は、撮像部１１０に画像を撮像させて、その撮像画像を通知先に送信してもよい。ウェアラブルデバイス１００の通知先としてサーバ装置３００が設定されていれば、上述したようにサーバ装置３００が画像の解析を行い、その解析の結果をウェアラブルデバイス１００に返しても良い。
【０１３０】
＜２．ハードウェア構成例＞
次に、図８を参照して、本開示の一実施形態にかかるウェアラブルデバイス１００や携帯端末２００のハードウェア構成について説明する。図８は、本開示の実施形態にかかるウェアラブルデバイス１００や携帯端末２００のハードウェア構成例を示すブロック図である。上記の各アルゴリズムは、例えば、図８に示す情報処理装置のハードウェア構成を用いて実行することが可能である。つまり、当該各アルゴリズムの処理は、コンピュータプログラムを用いて図８に示すハードウェアを制御することにより実現される。
【０１３１】
なお、この図８に示したハードウェアの形態は任意であり、例えば、パーソナルコンピュータ、携帯電話、ＰＨＳ、ＰＤＡ等の携帯情報端末、ゲーム機、接触式又は非接触式のＩＣチップ、接触式又は非接触式のＩＣカード、スピーカ、テレビ、モニタ、ウェアラブル機器、又は種々の情報家電がこれに含まれる。但し、上記のＰＨＳは、Ｐｅｒｓｏｎａｌ  Ｈａｎｄｙ−ｐｈｏｎｅ  Ｓｙｓｔｅｍの略である。また、上記のＰＤＡは、Ｐｅｒｓｏｎａｌ  Ｄｉｇｉｔａｌ  Ａｓｓｉｓｔａｎｔの略である。
【０１３２】
図８に示すように、このハードウェアは、主に、ＣＰＵ９０２と、ＲＯＭ９０４と、ＲＡＭ９０６と、ホストバス９０８と、ブリッジ９１０と、を有する。さらに、このハードウェアは、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【０１３３】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【０１３４】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【０１３５】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【０１３６】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【０１３７】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【０１３８】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【０１３９】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は接触又は非接触通信用のデバイス等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【０１４０】
以上、ウェアラブルデバイス１００や携帯端末２００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【０１４１】
＜３．まとめ＞
以上説明したように本開示の一実施形態によれば、ユーザが安全な状態にいるかどうかの判定結果を取得し、取得した判定結果に基づいて、取得された情報の記録のための処理頻度を決定するウェアラブルデバイス１００が提供される。
【０１４２】
本開示の一実施形態に係るウェアラブルデバイス１００は、ユーザが安全な状態にいるかどうかの判定結果から、まず撮像部１１０に画像を撮像させる撮像頻度を決定する。そして本開示の一実施形態に係るウェアラブルデバイス１００は、決定した撮像頻度で撮像部１１０に撮像させると、その撮像処理により得られる画像から、さらに撮像頻度を決定するとともに、携帯端末２００へ情報を通知する通知頻度を決定する。
【０１４３】
本開示の一実施形態に係るウェアラブルデバイス１００は、携帯者が安全かどうかを判断した結果に基づいて携帯者の現在の状態を適切に通知することが可能になる。また本開示の一実施形態に係るウェアラブルデバイス１００は、携帯者が安全かどうかを判断した結果に基づいて携帯者の現在の状態を適切に通知することで、バッテリの消費を必要最低限に抑えることが出来る。本開示の一実施形態に係るウェアラブルデバイス１００は、バッテリの消費を必要最低限に抑えられることで、本当に撮像や通知が必要な場合にバッテリが無くなって撮像や通知が出来なくなる可能性を大きく低減させることが可能になる。
【０１４４】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０１４５】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアまたはハードウェア回路で構成することで、一連の処理をハードウェアまたはハードウェア回路で実現することもできる。
【０１４６】
また上述の説明で用いた機能ブロック図で示したそれぞれの機能ブロックの一部又は全部は、たとえばインターネット等のネットワークを介して接続されるサーバ装置で実現されてもよい。また上述の説明で用いた機能ブロック図で示したそれぞれの機能ブロックの構成は、単独の装置で実現されてもよく、複数の装置が連携するシステムで実現されても良い。複数の装置が連携するシステムには、例えば複数のサーバ装置の組み合わせ、サーバ装置と端末装置との組み合わせ等が含まれ得る。
【０１４７】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４９】
なお、以下のような構成も本開示の技術的範囲に属する。
（１）
周囲の環境をセンシングするセンシング部を携帯するユーザの安全状態の判定結果を取得する判定結果取得部と、
前記判定結果取得部が取得した前記判定結果に基づいて、前記センシングに基づく情報を記録するための処理頻度を決定する頻度決定部と、
を備える、情報処理装置。
（２）
前記センシング部は、画像を撮像する撮像部を含み、
前記頻度決定部は、前記処理頻度として前記撮像部が画像を撮像する撮像頻度を決定する、前記（１）に記載の情報処理装置。
（３）
前記頻度決定部は、前記センシング部の位置に基づいて前記撮像頻度を決定する、前記（２）に記載の情報処理装置。
（４）
前記頻度決定部は、前記センシング部を携帯するユーザのスケジュールに基づいて前記撮像頻度を決定する、前記（２）に記載の情報処理装置。
（５）
前記頻度決定部は、前記センシング部が取得したセンシングデータに基づいて前記撮像頻度を決定する、前記（２）に記載の情報処理装置。
（６）
前記頻度決定部は、前記撮像部に撮像された画像の内容に基づいて前記撮像頻度を決定する、前記（５）に記載の情報処理装置。
（７）
前記頻度決定部は、前記撮像部に撮像された画像に含まれる人物に基づいて前記撮像頻度を決定する、前記（６）に記載の情報処理装置。
（８）
前記頻度決定部は、前記撮像部に撮像された画像に含まれる人物が予め登録されていない人間であれば前記撮像頻度を短縮する、前記（７）に記載の情報処理装置。
（９）
前記頻度決定部は、前記撮像部に撮像された画像に含まれる風景の内容に基づいて前記撮像頻度を決定する、前記（６）のいずれかに記載の情報処理装置。
（１０）
前記頻度決定部は、バッテリ残量に基づいて前記撮像頻度を決定する、前記（２）〜（９）のいずれかにに記載の情報処理装置。
（１１）
前記センシング部は、画像を撮像する撮像部を含み、
前記頻度決定部は、前記処理頻度として前記撮像部の撮像に基づく画像情報を他の装置と通信する通信頻度を決定する、前記（１）〜（１０）のいずれかにに記載の情報処理装置。
（１２）
前記頻度決定部は、前記センシング部が取得したセンシングデータに基づいて前記通信頻度を決定する、前記（１１）に記載の情報処理装置。
（１３）
前記頻度決定部は、前記撮像部で撮像された画像の内容に基づいて前記通信頻度を決定する、前記（１２）に記載の情報処理装置。
（１４）
前記頻度決定部は、前記判定結果取得部が取得した判定結果がより安全な状態を示すほど前記処理頻度が低くなるよう決定する、前記（１）〜（１３）のいずれかに記載の情報処理装置。
（１５）
前記センシング部がセンシングする対象は、位置情報である、前記（１）〜（１４）のいずれかに記載の情報処理装置。
（１６）
前記判定結果取得部は、前記センシング部がセンシングした位置情報に基づいて判定された安全状態を取得する、前記（１５）に記載の情報処理装置。
（１７）
前記頻度決定部は、前記ユーザの周囲に存在する他のセンシング部がセンシングした情報に応じて前記処理頻度を決定する、前記（１６）に記載の情報処理装置。
（１８）
前記センシング部がセンシングする対象は、前記ユーザの生体情報である、前記（１）〜（１７）のいずれかに記載の情報処理装置。
（１９）
ユーザが安全な状態にいるかどうかの判定結果を取得することと、
取得された前記判定結果に基づいて、取得された情報の記録のための処理頻度を決定することと、
を含む、情報処理方法。
（２０）
コンピュータに、
ユーザが安全な状態にいるかどうかの判定結果を取得することと、
取得された前記判定結果に基づいて、取得された情報の記録のための処理頻度を決定することと、
を実行させる、コンピュータプログラム。
【符号の説明】
【０１５０】
１      ：情報処理システム
１０    ：ネットワーク
２０    ：ユーザ
１００  ：ウェアラブルデバイス
１１０  ：撮像部
１２０  ：記憶部
１３０  ：センサ部
１４０  ：制御部
１４１  ：判定結果取得部
１４２  ：処理頻度決定部
１４３  ：画像処理部
１４４  ：位置検出処理部
１５０  ：マイク
１６０  ：通信部
２００  ：携帯端末
２１０  ：表示部
２２０  ：入力部
２３０  ：記憶部
２４０  ：制御部
２５０  ：通信部
３００  ：サーバ装置
３１０  ：記憶部
３２０  ：通信部
３３０  ：制御部
【図１】
2016111393.tif 000003
【図２】
2016111393.tif 000004
【図３】
2016111393.tif 000005
【図４】
2016111393.tif 000006
【図５】
2016111393.tif 000007
【図６】
2016111393.tif 000008
【図７】
2016111393.tif 000009
【図８】
2016111393.tif 000010